(57)【要約】【課題】照明装置において、光源の直下方向に対して広角の範囲を含めて様々な位置や角度から見たときも、出射面における輝度ムラを抑制する。【解決手段】照明装置１は、複数の光源２と、光源２と対向するように配置された平板状の光拡散部材３と、を備える。光拡散部材３は、光源２に対向する面を入射面３０Ａと反対側の面を出射面３０Ｂに、２以上の光学面３２Ａ，３２Ｂを有する複数のプリズム３１を備える。プリズム３１は、光源２の各々を中心としてプリズム群３３を成す。プリズム群３３は、光学面３２Ａ，３２Ｂのうち、光源２からの距離が最も遠い光学面の法線Ｈ１と、入射面３０Ａの法線Ｈ２との成す角度αが、ｎｓｉｎα≧１（ｎは光拡散部材の屈折率）を満たす全反射プリズム３１Ｒを含み、全反射プリズム３１Ｒの割合が、光源２からの距離が遠ざかるに従って増加する。【選択図】図４
2015035306.tif 000002
【特許請求の範囲】
【請求項１】
一平面に所定の配列ピッチで配置された複数の光源と、前記光源と対向するように配置された平板状の光拡散部材と、を備えた照明装置であって、
前記光拡散部材は、前記光源に対向する面を入射面とし、前記入射面とは反対側の面を出射面とし、前記出射面に２以上の光学面を有する複数のプリズムを備え、
前記複数のプリズムは、前記複数の光源の各々を中心として前記配列ピッチと同幅となる範囲に配置されてプリズム群を成し、
前記プリズム群は、前記プリズムの２以上の光学面のうち、該プリズム群の中心にある前記光源からの距離が最も遠い光学面の法線と、前記光拡散部材の入射面の法線との成す角度αが、下記式（１）を満たす全反射プリズムを含み、且つ前記一平面の法線方向から見たときの単位面積あたりに前記全反射プリズムの占める割合が、前記プリズム群の中心にある前記光源からの距離が遠ざかるに従って増加することを特徴とする照明装置。
【数１】
2015035306.tif 000008
【請求項２】
前記プリズムは、前記一平面に投影したときの大きさが、一辺１０〜１００μｍの平方内にあることを特徴とする請求項１に記載の照明装置。
【請求項３】
前記プリズムの２以上の光学面のうち、前記一平面からの距離が最も遠い光学面は、前記光源からの距離が最も遠い光学面よりも、前記一平面に対する傾斜が小さいことを特徴とする請求項１又は請求項２に記載の照明装置。
【請求項４】
前記光学面は、３次元極座標系におけるθ方向及びφ方向のいずれに対しても傾きを有していることを特徴とする請求項１乃至請求項３のいずれか一項に記載の照明装置。
【請求項５】
前記光源は、ＬＥＤであることを特徴とする請求項１乃至請求項４のいずれか一項に記載の照明装置。
【請求項６】
前記光源は、前記ＬＥＤの出射光の配光を制御するレンズを有することを特徴とする請求項５に記載の照明装置。
【発明の詳細な説明】
【技術分野】
【０００１】
本発明は、平面に配置された光源と、この光源と対向するように配置された平板状の光拡散部材と、を備えた照明装置に関する。
【背景技術】
【０００２】
発光ダイオード（以下、ＬＥＤ）は、低電力で高輝度の発光が可能であり、表示等や照明装置等の様々な電気機器の光源として使用されている。近年では、赤色ＬＥＤ及び緑色ＬＥＤに加えて、青色ＬＥＤが実用化され、これらＲＧＢ３色のＬＥＤを組み合わせることにより、様々な光色を発光することができる。また、青色ＬＥＤの光を蛍光体に当てて黄色の光を出力し、青色光と黄色光とを混色させて白色光を作り出す、いわゆる白色ＬＥＤが知られている。白色ＬＥＤは、発光強度及び発光効率において優れ、シーリングライト及びベースライトといった照明装置等に利用されている。
【０００３】
このような照明装置では、例えば、一平面に複数のＬＥＤが所定の配列ピッチで配置され、これらのＬＥＤと対向するように配置された平板状の光拡散部材が用いられる。板状の光拡散部材は、光源であるＬＥＤの粒状感といった光源イメージを消し、その出射面における輝度ムラを少なくするために用いられる。しかしながら、光源イメージを消すために、光拡散部材の拡散性を高くすると、照明装置内に光で光利用効率が低下する。また、光源と光拡散部材との距離を大きくすると、照明装置の器具厚みが増加する。そこで、光拡散部材の出射面に微細な凹凸を設け、光を拡散させる技術が知られている。
【０００４】
この種のものとして、光学部材（光拡散部材）の光源と対向する面とは反対側にある出射面であって、光源の直上位置に、複数の微細なプリズムから成るプリズム群を形成した照明装置が知られている（例えば、特許文献１参照）。この照明装置によれば、光学部材の出射面の光源の直上位置に形成されたプリズム群によって光源からの光を拡散させ、広角に光を放射することができる。
【０００５】
また、光源と対向するように偏向構造板が配置され、この偏向構造板の光源と対向する面とは反対側にある出射面に、断面形状が三角形である複数の三角形凸部から成る凹凸形状部を設けた面照明装置が知られている（例えば、特許文献２参照）。この面照明装置によれば、三角形凸部から成る凹凸形状部の斜面で光を屈折させて、所定方向へ出射させることにより、輝度ムラを少なくすることができる。
【先行技術文献】
【特許文献】
【０００６】
【特許文献１】特開２０１１−１６５４０９号公報
【特許文献２】特開２００９−２５８７０７号公報
【発明の開示】
【発明が解決しようとする課題】
【０００７】
しかしながら、上記特許文献１，２に記載の光学部材及び偏向構造板は、光が出射するときの屈折により出射光の配光を制御している。屈折によって制御できる出射光の角度範囲は、スネルの法則から算出される。図１０に示すように、光源１０２に対向するように複数のプリズム１３１を有する光拡散部材１０３を配した照明装置１０１では、所定の入射角度で入射した光の出射角度は、光拡散部材１０３を構成する材料の屈折率と、入射面に対する出射面の角度αとによって決まる。例えば、光拡散部材１０３を構成する材料がアクリル樹脂（屈折率ｎ＝１．４９）の場合、出射面の角度αを調整することで、入射角度が３０°では出射角度を−２０°〜９０°の範囲で、入射角度６０°では出射角度を０°〜９０°の範囲で制御することができる。そのため、図１１に示すように、屈折によって出射角度を制御できる範囲、すなわち、光源１０２の直下方向に対して比較的狭角の範囲（例えば、図中の視点Ａ）では、所定の配光を得られ、光源イメージを消すことができる。
【０００８】
ところが、屈折によって出射角度を制御できない範囲、すなわち、光源１０２の直下方向に対して比較的広角の範囲（例えば、図中の視点Ｂ）では、所定の配光を得られず、光源イメージを消すことができないことがある。そのため、照明装置１０１を見る位置や角度によって、光拡散部材１０３の出射面における輝度均斉度が不十分となる虞がある。なお、上記引用文献２のように、偏向構造板を用いた照明装置が、バックライトユニットとして用いられる場合は、偏向構造板からの出射光は、液晶素子に入射するので、広角方向から見た輝度ムラは殆ど問題にならない。しかしながら、照明装置では、通常、液晶素子は用いられないので、光拡散部材の出射面における輝度ムラは、そのまま照明装置の外観イメージを損なわせることになる。
【０００９】
本発明は、上記課題を解決するものであり、光源の直下方向に対して広角の範囲を含めて様々な位置や角度から見たときも、出射面における輝度ムラを抑制することができる照明装置を提供することを目的とする。
【課題を解決するための手段】
【００１０】
上記課題を解決するため、本発明は、一平面に所定の配列ピッチで配置された複数の光源と、前記光源と対向するように配置された平板状の光拡散部材と、を備えた照明装置であって、前記光拡散部材は、前記光源に対向する面を入射面とし、前記入射面とは反対側の面を出射面とし、前記出射面に各々２以上の光学面を有する複数のプリズムを備え、前記複数のプリズムは、前記複数の光源の各々を中心として前記配列ピッチと同幅となる範囲に配置されてプリズム群を成し、前記プリズム群は、前記プリズムの２以上の光学面のうち、該プリズム群の中心にある前記光源からの距離が最も遠い光学面の法線と、前記入射面の法線との成す角度αが、下記式（１）を満たす全反射プリズムを含み、且つ前記一平面の法線方向から見たときの単位面積あたりに前記全反射プリズムの占める割合が、前記プリズム群の中心にある前記光源からの距離が遠ざかるに従って増加することを特徴とする。
【数１】
2015035306.tif 000003
【００１１】
上記照明装置において、前記プリズムは、前記一平面に投影したときの大きさが、一辺１０〜１００μｍの平方内にあることが好ましい。
【００１２】
上記照明装置において、前記プリズムの２以上の光学面のうち、前記一平面からの距離が最も遠い光学面は、前記光源からの距離が最も遠い光学面よりも、前記一平面に対する傾斜が小さいことが好ましい。
【００１３】
上記照明装置において、前記光学面は、３次元極座標系におけるθ方向及びφ方向のいずれに対しても傾きを有していることが好ましい。
【００１４】
上記照明装置において、前記光源は、ＬＥＤであることが好ましい。
【００１５】
上記照明装置において、前記光源は、前記ＬＥＤの出射光の配光を制御するレンズを有することが好ましい。
【発明の効果】
【００１６】
本発明によれば、光源から光拡散部材に入射した光は、光源からの距離が遠くなるに従って、その方向に出射された光が全反射プリズムによって全反射され易くなる。そのため、光源の直下方向に対して広角の範囲を含めて様々な位置や角度から見たときも、出射面における輝度ムラを抑制することができる。
【図面の簡単な説明】
【００１７】
【図１】（ａ）は本発明の第１の実施形態に係る照明装置の分解斜視図、（ｂ）は側断面図。
【図２】（ａ）は同照明装置に用いられる光源の側断面図。
【図３】（ａ）は同照明装置に用いられる光源及び光拡散部材の斜視図、（ｂ）は側断面図。
【図４】同照明装置の一部側断面図、及び光拡散部材のプリズムの部分拡大側断面図。
【図５】（ａ）（ｂ）は上記実施形態の変形例に係る光拡散部材のプリズムの部分拡大側断面図。
【図６】（ａ）は本発明の第２の実施形態に係る照明装置のプリズムの一例の斜視図、（ｂ）は同プリズムの他例の斜視図、（ｃ）は（ａ）に対応する側断面図と光路図、（ｄ）は（ｂ）に対応する側断面図と光路図。
【図７】三次元極座標系を説明するための図。
【図８】（ａ）同プリズムの一例の斜視図、（ｂ）は同プリズムの光路及びｘｙｚ座標を加えた斜視図、（ｃ）はｘｚ座標系の側面図。
【図９】（ａ）同プリズムの他例の斜視図、（ｂ）は同プリズムの光路及びｘｙｚ座標を加えた斜視図、（ｃ）はｘｚ座標系の側面図。
【図１０】従来の照明装置の側断面図と光拡散部材の一部拡大側断面図。
【図１１】従来の照明装置を見る角度と光源イメージとの関係を説明するための側断面図。
【発明を実施するための形態】
【００１８】
本発明の第１の実施形態に係る照明装置について、図１〜図４を参照して説明する。図１（ａ）（ｂ）に示すように、本実施形態の照明装置１は、箱形状の器具本体１０と、器具本体１０の一平面（以下、取付面１１）に所定の配列ピッチで配置された複数の光源２と、光源２と対向するように配置された平板状のカバー３と、を備える。器具本体１０は、取付面１１と対向する面に開口部１２を有し、この開口部１２にカバー３が設けられている。本例では、光源２は、夫々点状光源であり、取付面１１にマトリクス状に配置されている。カバー３は、複数の光源２の各々に対して後述する光学特性を有するように形成された複数の光拡散部材３０を備える。本例では、光拡散部材３０も、光源２に対応するように、マトリクス状に配置されている。また、照明装置１は、器具本体１０内部又は外部に設けられて光源を点灯駆動させる電源部（不図示）を更に備える。
【００１９】
器具本体１０は、矩形の取付面１１の４辺から夫々側面１３が立設されて、側面１３の周縁により開口部１２が形成される。取付面１１は、複数枚の板材から構成されていてもよく、例えば、照明装置１の外郭を成す部材と、その内側に配されて光源２が固定される部材との組み合わせが挙げられる。器具本体１０は、所定の剛性と耐熱性を有するアルミニウム板又は鋼板等の板材を、上記形状にプレス及び切削加工することにより形成される。取付面１１及び側面１３の内側面には、可視光の反射率が高い白色塗料が塗布、又は反射性金属材料が蒸着される。それらの表面における光反射率が８０％程度であることが好ましく、照明装置１の用途及び使用環境等に応じて９０％程度であってもよい。
【００２０】
図２に示すように、光源２は、固体発光素子（ＬＥＤ）２１と、ＬＥＤ２１の光導出方向に夫々設けられてＬＥＤ２１からの出射光を広角に配光するレンズ２２と、ＬＥＤ２１及びレンズ２２を保持するベースユニット２３と、を備える。なお、レンズ２２はＬＥＤ２１自体の配光特性に応じて適宜に用いられる。ＬＥＤ２１は、ＬＥＤチップの出射光の波長を変換する波長変換部材が被覆されて、ＬＥＤパッケージとして構成される。ＬＥＤ２１は、照明装置１として所望の光色の発光を可能とする光源であれば特に限定されないが、例えば、発光ピーク波長が４６０ｎｍの青色光を放射するＧａＮ系青色ＬＥＤチップに、ＹＡＧ系蛍光体を被覆した、いわゆる白色ＬＥＤが好適に用いられる。ＬＥＤ１の実装方法としては、例えば、ＬＥＤ２１が素子上面に陽極及び陰極の各電極が設けられた、いわゆるフェイスアップ型素子であれば、ワイヤボンディングにより実装される。具体的には、ＬＥＤ２１がベースユニット２３の実装面上にダイボンド材によって接合され、ＬＥＤ２１の素子上面に設けられた各電極を、上記実装面上に設けられたランド部（不図示）に、ワイヤを用いて結線される。なお、ＬＥＤ２１が下面側に電極を配したフェイスダウン式素子であれば、例えば、フリップチップ実装によりＬＥＤ２１がベースユニット２３に実装される。
【００２１】
レンズ２２は、アクリル樹脂、シリコーン樹脂又はガラス等の透光性材料から形成され、ＬＥＤ２１を覆うように配され、ＬＥＤ２１の実装面の周縁部よりも外周側に延設されている。レンズ２２は、ＬＥＤ２１からの出射光を入射する半円形状の入射面２２ａと、入射面２２ａからの入射光を屈折して出射する出射面２２ｂと、を有する。出射面２２ｂは、ＬＥＤ２１からの出射光の最大光束の方向（発光面の中心と通る法線（光軸Ｌ））の周囲が凹状となるように、その周囲が凸状となるように形成されている。この形状によれば、出射面２２ｂの凹状箇所は、光が外周方向へ拡散するよう屈折させ、出射面２２ｂの凸状箇所は、光を集光させるように屈折される。その結果、レンズ２２からの出射光は、いわゆるバッドウィング型と呼ばれる広角な配光曲線を示す。すなわち、レンズ２２は、ＬＥＤ２１から出射光を広角に配光することができる。
【００２２】
図３（ａ）に示すように、光拡散部材３０は、対応する光源２の光軸Ｌを中心として放射状に、後述する光学特性を有するように形成される。光拡散部材３０は、例えば、ポリカーボネート、アクリル樹脂、ガラス等の透光性材料から形成される。また、図３（ｂ）に示すように、光拡散部材３０は、光源２に対向する面を入射面３０Ａとし、入射面３０Ａとは反対側の面を出射面３０Ｂとし、出射面３０Ｂが後述する光学特性を有するように形成される。出射面３０Ｂは、光源２から出射された光の光拡散部材３０への入射角度に応じて区分され、区分毎に光学特性が異なるように形成される。図例では、光源２の中心からの距離が遠くなる方向に、０〜６０°の範囲で、５°毎に１２の角度区分（θ１〜θ１２）に区分される。
【００２３】
また、図４に示すように、光拡散部材３０は、出射面３０Ｂに２以上の光学面を有する複数のプリズム（図例では、プリズム３１ａ〜３１ｃ，３１ｘ〜３１ｚ、総称してプリズム３１）を備える。図例では、プリズム３１ａ〜３１ｃ，３１ｘ〜３１ｚが、夫々２つの光学面３２Ａ，３２Ｂを有する構成を示す。これら複数の３１ａ〜３１ｃ，３１ｘ〜３１ｚは、複数の光源２、ここでは２つの光源２ａ，２ｂの各々を中心として、光源２ａ，２ｂの配列ピッチＰと同幅となる範囲に配置されて複数のプリズム群（図例では、プリズム群３３ａ，３３ｂ、総称してプリズム群３３）を成す。以下、光源２ａに対応するプリズム群３３ａに基づいて説明する。なお、図中の直線矢印は、光源２ａからの出射光を示す。
【００２４】
プリズム群３３ａは、プリズム３１ａ〜３１ｃ，３１ｘ〜３１ｚの各光学面３２Ａ，３２Ｂのうち、プリズム群３３ａの中心にある光源２ａからの距離が最も遠い光学面３２Ｂの法線Ｈ１と、光拡散部材３０の入射面３０Ａの法線Ｈ２との成す角度αが、下記式（１）を満たす全反射プリズム３１Ｒを含む。
【００２５】
【数１】
2015035306.tif 000004
【００２６】
ずなわち、上記式（１）を満たすとき、光源２ａから光拡散部材３０に入射して、光学面３２Ｂと外界との界面に入射した光の多くは、光学面３２Ｂで全反射される。
【００２７】
また、プリズム群３３ａは、取付面１１の法線Ｈ方向から見たときの単位面積あたりに全反射プリズム３１Ｒの占める割合が、プリズム群３３ａの中心にある光源２ａからの距離が遠ざかるに従って増加する。図例では、θ６の角度区分にあるプリズム３１ａ〜３１ｃは、いずれも全反射プリズム３１Ｒではなく、プリズム群３３ａの中心にある光源２ａからの距離が遠いθ１２の角度区分にあるプリズム３１ｘ〜３１ｚのうち、プリズム３１ｚが全反射プリズムＲである。
【００２８】
なお、一のプリズム群３３を有する光拡散部材３０の一辺は、数ｃｍオーダーであり、区分θ１〜θ１２が、夫々数ｍｍオーダーである。また、一のプリズム３１は、取付面１１に投影したときの大きさが、一辺１０〜１００μｍの平方内にある。従って、一の区分には、数１０〜数１００個のプリズム３１が含まれる。従って、上記図４では、区分θ６には全反射プリズム３１Ｒを示していないが、区分θ１２よりも少ない所定の割合で全反射プリズム３１Ｒが含まれていてもよい。
【００２９】
全反射プリズム３１Ｒで全反射された光は、もう一方の光学面３２Ａと外界との界面に入射し、そのときの入射角が臨界角未満であれば、光学面３２Ａから外部へ出射される。このとき、光学面３２Ａの、光拡散部材３０の入射面３０Ａに対する角度βを調整して光を屈折させることにより、光拡散部材３０から出射される光の配光を制御することができる。
【００３０】
この構成によれば、光源２ａからの距離が遠くなるに従って、その方向に出射された光が全反射プリズム３１Ｒによって全反射され易くなる。そのため、光源の直下方向に対して広角の範囲、例えば、上述した図１１に示した視点Ｂから見たときであっても、光源イメージが見え難くなる。従って、光源の直下方向に対して広角の範囲を含めて様々な位置や角度から見たときも、出射面における輝度ムラを抑制することができる。
【００３１】
上記実施形態の変形例に係る照明装置について、図５（ａ）（ｂ）を参照して説明する。この変形性において、光拡散部材３０のプリズム３１は、光学面３２Ａ，３２Ｂの他に、光学面３２Ｃを有し、このうち、入射面３０Ａからの距離が最も遠い光学面３２Ｃが、光源２（図４参照）からの距離が最も遠い光学面３２Ｂよりも、入射面３０Ａ（一平面）に対する傾斜が小さい。
【００３２】
上記実施形態においては、角度αを大きくしようとすると、プリズム３１の高さが高くなるので、プリズム３１を、その上端が鋭く先細りした形状（図中の波線参照）形成する必要がある。しかしながら、このような微細な構造を製造することは容易でなく、また、構造的にも脆く破損し易い。しかも、光学面３２Ａ，３２Ｂにおいて、全反射又は屈折といった光学的作用を及ぼすのは、入射面３０Ａからの距離が比較的近い領域である。
【００３３】
そこで、本変形例では、プリズム３１の先細りした部分を設けることなく、取付面１１と実質的に平行な光学面３２Ｃを設けている。これにより、プリズム３１の光学的特性を維持したまま、その形成及びそれを備えた光拡散部材３０の製造を容易にすることができ、また、光拡散部材３０の出射面３０Ｂ（図４も参照）を破損し難くすることができる。
【００３４】
次に、第２の実施形態に係る照明装置について、図６〜図９を参照して説明する。図６（ａ）（ｂ）に示すように、本実施形態の照明装置は、光拡散部材３０の２以上の光学面、本例では、光学面３２Ａ，３２Ｂ，３２Ｃが、３次元極座標系におけるθ方向及びφ方向のいずれに対しても傾きを有している。
【００３５】
図６（ａ）は、プリズム群３３のうち、光源２からの距離が比較的近く、全反射プリズム３１Ｒの割合が少ない区分（例えば、図３の区分θ６）を示す。プリズム群３３は、図中の光源２の中心からの放射状に伸びる方向ｙにおける断面の形状は、上記図４（ａ）に示した構成と同様である。一方、プリズム３１は、上記方向ｙと直交する方向ｘにも傾斜した光学面３２Ａ等を含む。また、図６（ｃ）は、区分θ６のプリズム３１の、光源２の中心からの放射方向における断面形状と、光路図を示す。区分θ６における入射面３０Ａへの光の入射角は３０°とする。この断面に示すプリズム３１では、図中左から３つ目のプリズム３１が全反射プリズム３１Ｒとして形成されている。
【００３６】
図６（ｂ）は、プリズム群３３のうち、光源２からの距離が比較的遠く、全反射プリズム３１Ｒの割合が多い区分（例えば、図３の区分θ１２）を示す。このプリズム群３３も、図中の光源２の中心からの放射状に伸びる方向ｙにおける断面の形状は、上記図４（ｂ）に示した構成と同様である。また、図６（ｄ）は、区分θ１２のプリズム３１の、光源２の中心からの放射方向における断面形状と、光路図を示す。θ１２における入射面３０Ａへの光の入射角は６０°とする。この断面に示すプリズム３１では、図中左から１〜３つのプリズム３１が全反射プリズム３１Ｒとして形成されている。
【００３７】
図７に示すように、３次元極座標系では、２次元ｘｙ座標系におけるｘ軸に対する角度がφとして表され、この角度φを含み、且つｘｙ平面と直交する平面におけるｚ軸に対する角度がθとして表される。
【００３８】
光の屈折に関するベクトル方程式は、下記式（２）のようにと表される。なお、全て単位ベクトルである。
【００３９】
【数２】
2015035306.tif 000005
【００４０】
光の反射に関するベクトル方程式は、下記式（３）のように表される。なお、全て単位ベクトルである。
【００４１】
【数３】
2015035306.tif 000006
【００４２】
図８（ａ）乃至（ｃ）は、屈折により配光を制御して、光を拡散させる通常のプリズム３１を示す。図７（ｂ）のｙ軸が、光源２の中心からの放射状に伸びる方向であり、ｚ軸は光源２の光軸方向である。そのため、光源２から出射された光は、ｙｚ座標系を進み、ｚ軸に対するθ（入射）での入射面３０Ａに入射する。このプリズム３１は、光学面３２Ｂが、３次元極座標系におけるθ方向及びφ方向のいずれに対しても傾きを有している。そのため、光学面３２Ｂを出射する光は、θ方向だけでなく、φ方向にも屈折される。
【００４３】
図９（ａ）乃至（ｃ）は、全反射及び屈折により配光を制御して、光を拡散させる全反射プリズム３１Ｒを示す。この全反射プリズム３１Ｒは、光学面３２Ｂ，３２Ａが、３次元極座標系におけるθ方向及びφ方向のいずれに対しても傾きを有している。そのため、光学面３２Ｂで全反射された後に、光学面３２Ａを出射する光は、θ方向だけでなく、φ方向にも屈折される。
【００４４】
これらの条件について、上記式（２）（３）で示したベクトル方程式を解けば、プリズムの法線ベクトルを算出することができる。すなわち、３次元極座標系におけるθ方向及びφ方向の傾きが計算できる。
【００４５】
また、上記第１の実施形態における角度αは下記式（４）から算出することができる。
【００４６】
【数４】
2015035306.tif 000007
【００４７】
この構成によれば、３次元的に光を拡散させることができるので、照明装置１の直下方向や、広角の範囲の様々な角度からも、照明装置１の出射面における輝度ムラを抑制することができる。
【００４８】
本発明は、上述した記実施形態に限らず、種々の変形が可能である。例えば、上述した実施形態では、光源２として点状光源であるＬＥＤを用いた構成を示したが、光源２は、例えば、直管型蛍光灯のような線状光源であってもよい。この場合、光拡散部材３０及びその出射面３０Ａに設けられるプリズム３１は、線状光源の長手方向に直交する断面形状において、上記図４で示した形状と同じであり、その断面形状が上記長手方向に沿って連続する構成にすればよい。また、光拡散部材３０のプリズム３１の形状や、プリズム群３３に閉める全反射プリズム３１Ｒの割合は、光源２のレンズ２２の配光に応じて設計される。特に、図２に示した広角配光のレンズ２２では、光源２から遠い位置への光束が多くなるので、その位置（区分）の全反射プリズム３１Ｒの割合を多くすることが望ましい。
【００４９】
１    照明装置
１１    取付面（一平面）
２    光源
２１    ＬＥＤ
２２    レンズ
３    光拡散部材
３０Ａ    入射面
３０Ｂ    出射面
３１（３１ａ〜３１ｚ）    プリズム
３１Ｒ    全反射プリズム
３２（３２Ａ，３２Ｂ・・・）    光学面
３３（３３ａ，３３ｂ・・・）    プリズム群
Ｈ１    光源から最も遠い光学面の法線
Ｈ２    入射面の法線
【図１】
2015035306.tif 000009
【図２】
2015035306.tif 000010
【図３】
2015035306.tif 000011
【図４】
2015035306.tif 000012
【図５】
2015035306.tif 000013
【図６】
2015035306.tif 000014
【図７】
2015035306.tif 000015
【図８】
2015035306.tif 000016
【図９】
2015035306.tif 000017
【図１０】
2015035306.tif 000018
【図１１】
2015035306.tif 000019